(57)【要約】      （修正有）【課題】無線信号により連動動作し、動作確認を簡易にかつ迅速に行える火災報知システムを提供する。【解決手段】火災警報システム１において、各火災警報器２は、連動動作可能に複数配設されており、操作器３から送信された点検信号を受信した火災警報器２Ａは、自己および他の火災警報器２の判定情報をＩＤ番号とともに返答信号で送信し、操作器３は、複数の火災警報器２のうちのいずれか一の火災警報器２Ａに点検信号を送信し、当該火災警報器２Ａから送信された返答信号の判定情報を表示部に表示する。【選択図】図１
2011232995.tif 000002
【特許請求の範囲】
【請求項１】
火災を検知する火災検知部と、他の火災警報器との間で信号を送受信する第１の送受信部と、外部の操作器との間で信号を送受信する第２の送受信部と、火災検知部が火災を検知したときにまたは第１の送受信部が他の火災警報器から送信された火災信号を受信したときに火災発生を報知する報知部と、自己のＩＤ番号とともに、自己の点検情報を記憶する記憶部と、外部の操作器から送信された点検信号が第２の送受信部で受信されたときに、記憶部に記憶されている点検情報を返答信号により第２の送受信部から外部の操作器に送信する点検手段と、を有する火災警報器と；
火災警報器の第２の送受信部との間で信号を送受信する信号入出力部と、火災警報器の点検情報を表示する表示部と、信号入出力部から点検信号を送信させる操作部と、を有する操作器と；を具備し、
火災警報器は、連動動作可能に複数配設されており、操作器から点検信号を受信した火災警報器は、自己の点検情報および他の火災警報器の点検情報を返答信号で操作器に送信することを特徴とする火災警報システム。
【請求項２】
各火災警報器の記憶部は、さらに連動動作する他の火災警報器の点検情報を当該火災警報器のＩＤ番号とともに記憶し、各火災警報器は、定期的にまたは火災警報器の点検情報が更新されたときに、点検情報信号を送受信して点検情報を記憶部に記憶させることを特徴とする請求項１記載の火災警報システム。
【請求項３】
火災を検知する火災検知部と、他の火災警報器との間で無線信号を送受信し、火災検知部が火災を検知したときに火災信号を送信するとともに他の火災警報器から送信された火災信号を受信する第１の送受信部と、外部の操作器から送信された点検信号を受信し当該点検信号に対する返答信号を無線信号で送信する第２の送受信部と、火災検知部が火災を検知したときにまたは第１の送受信部が他の火災警報器から送信された火災信号を受信したときに火災発生を報知する報知部と、第２の送受信部が点検信号を受信したときに点検用信号を第１の送受信部から他の火災警報器に送信する点検信号部と、第２の送受信部が受信した点検信号に応じて点検情報に対する異状の有無を判定し、および第１の送受信部が受信した他の火災警報器から送信された点検用信号に応じて点検情報に対する異状の有無を判定するとともに当該判定情報を自己のＩＤ番号を有する返答用信号で第１の送受信部から他の火災警報器に送信する点検判定部と、第２の送受信部が点検信号を受信したときに、点検判定部が判定した自己の判定情報および第１の送受信部が受信した返答用信号における他の火災警報器の判定情報をＩＤ番号とともに返答信号で第２の送受信部から操作器に送信する点検返答部と、を有する火災警報器と；
無線により点検信号を送信し火災警報器から送信された返答信号を受信する信号入出力部と、返答信号の判定情報を火災警報器のＩＤ番号毎に表示する表示部と、信号入出力部から点検信号を送信させる操作部と、を有する操作器と；を具備し、
火災警報器は、連動動作可能に複数配設されており、操作器から送信された点検信号を受信した火災警報器は、自己の判定情報および他の火災警報器の判定情報を返答信号で操作器に送信することを特徴とする火災警報システム。
【請求項４】
第１および第２の送受信部は、電波を送受信する一体の送受信部に形成され、操作器は、その信号入出力部が電波を送受信するように形成されていることを特徴とする請求項１ないし３いずれか一記載の火災警報システム。
【請求項５】
操作器は、さらに火災報知停止信号を送信するように形成されており、当該火災報知停止信号を受信した火災警報器は、所定期間に亘って火災発生の報知を停止または禁止することを特徴とする請求項１ないし４いずれか一記載の火災警報システム。
【発明の詳細な説明】
【技術分野】
【０００１】
本発明は、火災発生を検知する火災検知部を有し、無線により火災信号を送受信する火災警報器が連動動作するように複数配設される火災警報システムに関する。
【背景技術】
【０００２】
住宅用火災警報器は、屋内の各部屋などにそれぞれ配設され、互いに連動動作するように構成されている。そして、最近では、住宅用火災警報器同士で無線信号を送受信する住宅用火災警報システムが用いられている（例えば特許文献１参照。）。すなわち、例えば１つの住宅用火災警報器が火災発生時に警報を発したときに無線信号を送信し、屋内に配設される他の複数の住宅用火災警報器がこの無線信号を受信して警報を発することにより、火災発生を屋内の人たちに迅速に告知できるようにしている。
【０００３】
また、住宅用火災警報器には、試験スイッチが設けられている。すなわち、試験スイッチを操作して、火災発生時に、住宅用火災警報器が正常に動作するか否かの確認をしている。そして、住宅用火災警報器は、天井面等の高所に設置される場合が多く、試験スイッチが引き紐を用いて操作されているものがある。この場合には、屋内の人が操作しやすいように引き紐を長くする必要があり、また、台に乗って引き紐を操作するなどのデメリットがある。
【０００４】
そこで、引き紐を設けず、簡易な場所に試験スイッチと警報停止スイッチとを兼ねた操作スイッチを設ける住宅用火災警報器が提案されている（特許文献２参照。）。この従来技術の住宅用火災警報器は、電源に接続される電源線に操作スイッチが介設されており、操作スイッチを操作し電源を遮断させて再投入した際に、火災要因を検知したときには警報停止モードで立ち上がって警報出力を禁止し、火災要因を検知していないときには試験モードで立ち上がって内部回路の試験を行って結果を試験警報として出力するものである。
【０００５】
しかし、当該住宅用火災警報器は、例えば天井面に複数個が設置されていると、個別に操作スイッチが設けられ、個別に動作試験が行われる。あるいは、複数個の住宅用火災警報器が操作スイッチに並列的に接続され、同時に動作試験が行われる。前者の場合は、個別に操作スイッチを操作し動作試験を行うので、動作試験の作業時間が長くなり、後者の場合は、試験警報が重複して出力される場合があり、動作試験を個別に確認することができなく、両者のいずれの場合も不適である。また、両者の場合とも、各住宅用火災警報器の設置場所に移動して動作試験の結果を確認する必要がある。
【０００６】
一方、複数個の住宅用火災警報器に対する動作確認を、試験スイッチを一度操作するだけで順次実施可能した住宅用火災警報システムが提案されている（特許文献３参照。）。この従来技術の住宅用火災警報システムは、試験スイッチ付きの住宅用火災警報器と、試験スイッチがなく試験スイッチ付の住宅用火災警報器に接続して使用される増設用の住宅用火災警報器を用いて構成されている。そして、それらの住宅用火災警報器は、試験信号を火災検知回路に送出する試験回路と、試験回路が試験信号を出力した後、所定の時間経過後に試験リレー信号を送出する遅延回路と、試験リレー信号を出力する移報出力端子などを備えるものである。
【先行技術文献】
【特許文献】
【０００７】
【特許文献１】特開２００９−２３８２５０号公報（第５頁、第１〜２図）
【特許文献２】特開２００８−３３４２７号公報（第５頁、第１図）
【特許文献３】特開２００５−２７５６０９号公報（第４〜６頁、第１〜２図）
【発明の概要】
【発明が解決しようとする課題】
【０００８】
特許文献２の住宅用火災警報器および特許文献３の住宅用火災警報システムは、動作試験の結果を各住宅用火災警報器の設置場所まで移動して行うので、動作試験の確認作業に手間を要するという欠点を有する。
【０００９】
また、特許文献３の住宅用火災警報システムは、試験スイッチ付きの住宅用火災警報器および増設用の住宅用火災警報器の２種類が必要であり、また、それらの住宅用火災警報器が試験回路、遅延回路および移報出力端子などを備えるので、高価になるという欠点を有する。
【００１０】
本発明は、無線信号により連動動作し、動作確認を簡易にかつ迅速に行える火災報知システムを提供することを目的とする。
【課題を解決するための手段】
【００１１】
請求項１に記載の火災警報システムの発明は、火災を検知する火災検知部と、他の火災警報器との間で信号を送受信する第１の送受信部と、外部の操作器との間で信号を送受信する第２の送受信部と、火災検知部が火災を検知したときにまたは第１の送受信部が他の火災警報器から送信された火災信号を受信したときに火災発生を報知する報知部と、自己のＩＤ番号とともに、自己の点検情報を記憶する記憶部と、外部の操作器から送信された点検信号が第２の送受信部で受信されたときに、記憶部に記憶されている点検情報を返答信号により第２の送受信部から外部の操作器に送信する点検手段と、を有する火災警報器と；火災警報器の第２の送受信部との間で信号を送受信する信号入出力部と、火災警報器の点検情報を表示する表示部と、信号入出力部から点検信号を送信させる操作部と、を有する操作器と；を具備し、火災警報器は、連動動作可能に複数配設されており、操作器から点検信号を受信した火災警報器は、自己の点検情報および他の火災警報器の点検情報を返答信号で操作器に送信することを特徴とする。
【００１２】
本発明および以下の各発明において、特に言及しない限り、各構成は以下による。
【００１３】
「火災警報器が連動動作可能に」とは、少なくとも隣接する火災警報器同士が信号を送受信できることを意味する。
【００１４】
火災警報器同士で送受信される信号は、無線信号であってもよく、有線信号であってもよい。また、火災警報器と操作器の間で送受信される信号は、無線信号であってもよく、有線信号であってもよい。無線信号は、電波であり、特定省電力無線などの規格化された周波数が使用される。また、火災警報器および操作器の間で送受信される無線信号は、赤外線または電波のいずれであってもよい。
【００１５】
ＩＤ番号は、個々の火災警報器を特定するためのアドレスである。
【００１６】
「点検情報」は、例えば、内部回路や報知部での断線や短絡、電池寿命などである。
【００１７】
火災検知部は、例えば、煙を煙検知ユニットで検知し、熱をサーミスタなどの温度センサで検知し、その検知量が予め設定された基準値以上となったときに火災発生を検知する。
【００１８】
報知部は、一例として、スピーカによる発音または表示ランプの発光による表示のいずれか一方または両方のいずれを有して構成することができる。
【００１９】
本発明によれば、操作器から点検信号を送信すると、当該点検信号は、一の火災警報器の第２の送受信部で受信される。一の火災警報器は、自己の記憶部から点検情報を読み出すとともに、他の火災警報器と送受信して他の火災警報器の記憶部に記憶されている点検情報を入手する。そして、前記一の火災警報器は、自己の火災警報器の点検情報および他の火災警報器の点検情報をＩＤ番号とともに返答信号で第２の送受信部から送信する。
【００２０】
返答信号は、操作器の信号入出力部で受信される。そして、操作部の表示部に、複数の火災警報器の点検情報が表示される。
【００２１】
請求項２に記載の火災警報システムの発明は、請求項１に記載の火災警報システムの発明において、各火災警報器の記憶部は、さらに連動動作する他の火災警報器の点検情報を当該火災警報器のＩＤ番号とともに記憶し、各火災警報器は、定期的にまたは火災警報器の点検情報が更新されたときに、点検情報信号を送受信して点検情報を記憶部に記憶させることを特徴とする。
【００２２】
本発明によれば、操作器から点検信号を送信すると、当該点検信号は、一の火災警報器の第２の送受信部で受信される。一の火災警報器は、自己の記憶部に記憶されている自己および自己と連動動作する複数の火災警報器の点検情報を読み出す。そして、自己の火災警報器の点検情報および他の火災警報器の点検情報をＩＤ番号とともに返答信号で第２の送受信部から送信する。
【００２３】
返答信号は、操作器の信号入出力部で受信される。そして、操作部の表示部に、複数の火災警報器の点検情報が表示される。
【００２４】
請求項３に記載の火災警報システムの発明は、火災を検知する火災検知部と、他の火災警報器との間で無線信号を送受信し、火災検知部が火災を検知したときに火災信号を送信するとともに他の火災警報器から送信された火災信号を受信する第１の送受信部と、外部の操作器から送信された点検信号を受信し当該点検信号に対する返答信号を無線信号で送信する第２の送受信部と、火災検知部が火災を検知したときにまたは第１の送受信部が他の火災警報器から送信された火災信号を受信したときに火災発生を報知する報知部と、第２の送受信部が点検信号を受信したときに点検用信号を第１の送受信部から他の火災警報器に送信する点検信号部と、第２の送受信部が受信した点検信号に応じて点検情報に対する異状の有無を判定し、および第１の送受信部が受信した他の火災警報器から送信された点検用信号に応じて点検情報に対する異状の有無を判定するとともに当該判定情報を自己のＩＤ番号を有する返答用信号で第１の送受信部から他の火災警報器に送信する点検判定部と、第２の送受信部が点検信号を受信したときに、点検判定部が判定した自己の判定情報および第１の送受信部が受信した返答用信号における他の火災警報器の判定情報をＩＤ番号とともに返答信号で第２の送受信部から操作器に送信する点検返答部と、を有する火災警報器と；無線により点検信号を送信し火災警報器から送信された返答信号を受信する信号入出力部と、返答信号の判定情報を火災警報器のＩＤ番号毎に表示する表示部と、信号入出力部から点検信号を送信させる操作部と、を有する操作器と；を具備し、火災警報器は、連動動作可能に複数配設されており、操作器から送信された点検信号を受信した火災警報器は、自己の判定情報および他の火災警報器の判定情報を返答信号で操作器に送信することを特徴とする。
【００２５】
「点検情報に対する異状」とは、火災検知部が火災を検知しても、また他の火災警報器から火災信号が送信されても、報知部が火災発生を報知しないことがあることを意味し、例えば、内部回路や報知部での断線や短絡、電池寿命などである。
【００２６】
点検用信号は、火災警報器同士の間で送受信する点検信号を意味し、火災警報器および操作器との間で送受信する点検信号と区別する表記である。同様に、返答用信号は、火災警報器同士の間で送受信する返答信号を意味し、火災警報器および操作器との間で送受信する返答信号と区別する表記である。
【００２７】
点検信号部は、操作器から送信された点検信号を、当該点検信号を受信した火災警報器から他の火災警報器に送信する中継器としての機能を果たすものである。
【００２８】
点検返答部は、第２の送受信部が操作器から送信された点検信号を受信したものであるときに、返答信号を第２の送受信部から送信する。したがって、操作器から送信された点検信号を受信しない他の火災警報器は、返答信号を送信しない。
【００２９】
また、点検返答部は、他の火災警報器から返答用信号が送信されないときには、それを判定情報としてもよい。
【００３０】
本発明によれば、操作器の操作部を手動操作し、複数の火災警報器のうちの一の火災警報器に対して操作器から点検信号を送信すると、当該点検信号は、前記一の火災警報器の第２の送受信部で受信される。前記一の火災警報器は、点検信号に応じて自己の火災警報器における点検情報に対する異状の有無を判定するとともに、他の火災警報器に点検用信号を送信し、その返答用信号により他の火災警報器における点検情報に対する異状の有無の判定情報を入手する。そして、前記一の火災警報器は、自己の火災警報器の判定情報および他の火災警報器の判定情報をＩＤ番号とともに返答信号で第２の送受信部から送信する。
【００３１】
返答信号は、操作器の信号入出力部で受信される。そして、操作器の表示部に、判定情報がＩＤ番号毎に表示される。すなわち、複数の火災警報器毎に点検情報に対する異状の有無が表示される。
【００３２】
請求項４に記載の火災警報システムの発明は、請求項１ないし３いずれか一記載の火災警報システムの発明において、第１および第２の送受信部は、電波を送受信する一体の送受信部に形成され、操作器は、その信号入出力部が電波を送受信するように形成されていることを特徴とする。
【００３３】
操作器の信号入出力部が電波を送受信するように形成されることにより、火災警報器の第１および第２の送受信部が電波を送受信する一体の送受信部に形成可能となる。
【００３４】
本発明によれば、火災警報器の第１および第２の送受信部が一体の送受信部に形成されるので、火災警報器の部品が削減される。
【００３５】
請求項５に記載の火災警報システムの発明は、請求項１ないし４いずれか一記載の火災警報システムの発明において、操作器は、さらに火災報知停止信号を送信するように形成されており、当該火災報知停止信号を受信した火災警報器は、所定期間に亘って火災発生の報知を停止または禁止することを特徴とする。
【００３６】
火災検知部が例えば煙を検知するものであると、煙草や魚焼きなどによる煙を検知し、報知部が火災発生を報知することがある。この場合、操作器から火災報知停止信号を送信することにより、報知部による火災発生の報知が所定期間に亘って停止される。また、非火災発生の煙により、報知部が火災発生を報知することが予想される場合に、操作器から火災報知停止信号を送信することにより、前もって、報知部による火災発生の報知が所定期間に亘って禁止される。
【００３７】
火災発生の報知の停止または禁止は、火災報知停止信号を受信した火災警報器の他、これと連動する他の火災警報器で行ってもよい。
【００３８】
本発明によれば、操作器から火災報知停止信号を送信することにより、火災警報器は、所定期間に亘って火災発生の報知を停止または禁止するので、非火災発生の報知が発生しなくなる。
【発明の効果】
【００３９】
請求項１の発明によれば、操作器から複数の火災警報器のうちのいずれか一の火災警報器に点検信号を送信すると、操作器の表示部に複数の火災警報器の点検情報が表示されるので、一の火災警報器の設置場所において、表示された点検情報に基づいて火災警報器の動作確認を簡易にかつ迅速に行うことができて、省力化を図ることができる。
【００４０】
請求項２の発明によれば、各火災警報器の記憶部に各火災警報器の点検情報が記憶されているので、操作器から送信された複数の火災警報器のうちのいずれか一の火災警報器に点検信号を送信することにより、操作器の表示部に表示された点検情報に基づいて火災警報器の動作確認を簡易にかつ迅速に行うことができて、省力化を図ることができる。
【００４１】
請求項３の発明によれば、操作器から複数の火災警報器のうちのいずれか一の火災警報器に点検信号を送信すると、操作器の表示部に複数の火災警報器毎に点検情報に対する異状の有無が表示されるので、一の火災警報器の設置場所において、表示された前記異状の有無に基づいて火災警報器の動作確認を簡易にかつ迅速に行うことができて、省力化を図ることができる。
【００４２】
請求項４の発明によれば、操作器が電波を送受信するように形成され、火災警報器の第１および第２の送受信部が電波を送受信する一体の送受信部に形成されることにより構成部品が削減されるので、火災警報器を小形化することができ、安価に形成することができる。
【００４３】
請求項５の発明によれば、操作器から送信された火災報知停止信号に応じて、火災警報器が所定期間に亘って火災発生の報知を停止または禁止するので、非火災発生の報知を防止することができる。
【図面の簡単な説明】
【００４４】
【図１】本発明の実施例１を示す火災警報システムを示すブロック図。
【図２】同じく、火災警報器の要部構成を示すブロック図。
【図３】同じく、操作器の要部構成を示すブロック図。
【図４】同じく、火災警報器の概略斜視図。
【図５】同じく、火災警報器の概略平面図。
【図６】同じく、火災警報器の概略側面図。
【図７】同じく、火災警報器の概略側断面図。
【図８】本発明の実施例２を示す火災警報システムを示すブロック図。
【図９】同じく、火災警報器の要部構成を示すブロック図。
【図１０】同じく、操作器の要部構成を示すブロック図。
【図１１】同じく、火災警報器の概略斜視図。
【発明を実施するための形態】
【００４５】
以下、本発明の一実施の形態について、図面を参照して説明する。
【００４６】
本発明において、複数の火災警報器の動作確認は、操作器から送信される点検信号により行われる。点検信号は、複数の火災警報器のうちのいずれか一の火災警報器に送信される。当該一の火災警報器は、自己および他の火災警報器における点検情報または点検情報における異状の有無の判定情報を返答信号で送信する。当該返答信号は、操作器で受信される。これにより、操作器の表示部に火災警報器のＩＤ番号毎に点検情報が表示される。
【実施例１】
【００４７】
図１ないし図７は、本発明の実施例１を示し、図１は火災警報システムを示すブロック図、図２は火災警報器の要部構成を示すブロック図、図３は操作器の要部構成を示すブロック図、図４は火災警報器の概略斜視図、図５は火災警報器の概略平面図、図６は火災警報器の概略側面図、図７は火災警報器の概略側断面図である。
【００４８】
図１において、火災警報システム１は、住宅用の火災警報器２および操作器３を有して構成されている。火災警報器２は、複数個であり、各部屋や廊下、炊事場、トイレなどの天井面や壁面に設置されているとともに、電波により互いに送受信可能に配設されている。また、操作器３は、少なくとも１個であり、各火災警報器２との間で無線信号としての赤外線信号を送受信する赤外線式リモコン装置に形成されている。操作器３は、少なくとも点検信号を送信する。以下、火災警報システムを住宅用火災警報システム１として、火災警報器を住宅用火災警報器２として説明する。
【００４９】
図２において、住宅用火災警報器２は、火災検知部４、第１の送受信部５、第２の送受信部６、報知部７、点検信号部８、点検判定部９、点検返答部１０、これらを制御監視する制御部１１および記憶部Ｍ１を有して構成されている。点検信号部８、点検判定部９、点検返答部１０および制御部１１は、点検手段を構成している。
【００５０】
そして、住宅用火災警報器２は、定期的にまたは点検対象が変化したときに点検を行っており、その点検情報を記憶部Ｍ１に記憶している。点検情報は、内部回路や報知部７での断線や短絡、電池寿命などである。
【００５１】
火災検知部４は、煙を検知するものであり、発光素子１２および受光素子１３を備えている。すなわち、発光素子１２の発光により放射された光は、煙の粒子で散乱され、その散乱光が受光素子１３に入射される。そして、受光素子１３の検知量（受光量）に応じた電圧が増幅回路１４で増幅され、入出力部１５を介して制御部１１に送信される。そして、煙の濃度が高まって煙の粒子が増加し、受光素子１３が検知する検知量に応じた電圧が予め設定された基準値以上になると、制御部１１は、火災発生と判断する。このように、火災検知部４は、受光素子１３の検知量に応じて火災を検知する。
【００５２】
第１の送受信部５は、アンテナ１６から火災信号を無線信号で送信し、アンテナ１６で連動動作する他の住宅用火災警報器２から送信された火災信号を受信するものである。制御部１１は、火災検知部４が火災を検知したときに、火災信号を第１の送受信部５の入出力部１７に出力する。第１の送受信部５は、当該火災信号を送受信回路１８で増幅してアンテナ１６から電波で送信する。また、アンテナ１６で受信した火災信号を送受信回路１８で増幅し、入出力部１７を介して制御部１１に送信するように形成されている。
【００５３】
また、第１の送受信部５は、他の住宅用火災警報器２との間で点検用信号を送受信する。点検用信号は、点検情報に対する異状を点検させるための信号である。アンテナ１６から送信される点検用信号は、制御部１１から入出力部１７に入力され、アンテナ１６で受信した点検用信号は、入出力部１７から点検判定部９に出力される。
【００５４】
また、第１の送受信部５は、自己の住宅用火災警報器２のＩＤ番号を有する返答信号を送信し、他の住宅用火災警報器２から送信されたＩＤ番号を有する返答信号を受信する。そして、受信した返答信号は、入出力部１７から点検返答部１０に出力される。ＩＤ番号は、各住宅用火災警報器２を特定するアドレスである。こうして、第１の送受信部５は、他の住宅用火災警報器２との間で無線信号を送受信するように形成されている。
【００５５】
第２の送受信部６は、外部の操作器３から送信された点検信号を赤外線信号で受信する受光素子１９および当該点検信号に対する返答信号を赤外線信号で送信する発光素子２０を備えている。そして、受光素子１９で受信した点検信号を受信回路２１で増幅し、入出力部２２を介して点検信号部８および点検判定部９に送信する。返答信号の送信は、制御部１１の制御により行われる。
【００５６】
報知部７は、表示灯としての発光ダイオード２３および音声を発するスピーカ２４を備えている。報知部７は、火災検知部４が火災を検知したときに、または第１の送受信部５が他の住宅用火災警報器２から送信された火災信号を受信したときに、制御部１１から入力部２５に警報データおよび点滅データの制御信号が送信される。発光ダイオード２３は、点滅データに応じて例えば０．５秒間隔で点滅する。また、スピーカ２４は、増幅器２６で警報データが増幅され、例えば「ビュービュービュー、火事です、火事です。」という音声メッセージを発する。これにより、屋内の人に火災発生が報知される。
【００５７】
点検信号部８は、第２の送受信部６が外部の操作器３から送信された点検信号を受信し、第２の送受信部６から点検信号を入力したときに、当該点検信号を制御部１１に送信する。制御部１１は、第１の送受信部５から点検用信号を無線信号により送信させる。点検用信号は、他の住宅用火災警報器２を点検するための点検信号である。このように、点検信号部８は、第２の送受信部６が点検信号を受信したときに点検用信号を第１の送受信部５から送信するものであり、他の住宅用火災警報器２に点検信号を送信するための中継機能を果たす。
【００５８】
点検判定部９は、第２の送受信部６が受信した点検信号が入力される。そして、当該点検信号に応じて、記憶部Ｍ１に記憶されている点検情報を制御部１１を介して読み出し、自己の住宅用火災警報器２の点検情報の異状の有無を判定する。すなわち、報知部７が火災発生を報知することが可能か否かの点検情報に対する異状の有無をプログラムに基づいて行う。判定内容は、例えば報知部７における断線や短絡、火災報知部４における検知の良否、電池寿命などである。そして、判定した異状の有無の判定情報を点検返答部１０に送出する。
【００５９】
また、点検判定部９は、自己の住宅用火災警報器２が操作器３から送信された点検信号を受信しなく、第１の送受信部５から点検用信号を受信する住宅用火災警報器２であるときには、第１の送受信部５が受信した他の住宅用火災警報器２から送信された点検用信号に応じて、上記同様、点検情報に対する異状の有無を判定し、当該判定情報を制御部１１に送出する。制御部１１は、当該判定情報を自己の住宅用火災警報器２のＩＤ番号を有する返答用信号で無線により第１の送受信部５から送信する。こうして、点検判定部９は、第２の送受信部６が受信した点検信号および第１の送受信部５が受信した点検用信号に応じて点検情報に対する異常の有無を判定するものであり、後者の場合には、返答用信号を第１の送受信部５から送信するものである。
【００６０】
点検返答部１０は、第１の送受信部５が受信した返答用信号を入力する。そして、自己の住宅用火災警報器２の第２の送受信部６が操作器３から送信された点検信号を受信したものであるときには、点検判定部９が判定した自己の住宅用火災警報器２の判定情報および第１の送受信部５が受信した返答用信号における他の住宅用火災警報器２の判定情報を各住宅用火災警報器２のＩＤ番号とともに返答信号で第２の送受信部６から送信するように形成されている。また、点検返答部１０は、返答用信号が送信されない住宅用火災警報器２に対しても、当該情報を判定情報として返答信号で送信する。当該返答信号は、操作器３により受信される。
【００６１】
制御部１１は、マイクロコンピータ（マイコン）に形成され、ＣＰＵ（中央処理装置）２７、ＲＯＭ２８およびＲＡＭ２９を有して構成されている。ＣＰＵ２７は、プログラムに基づいて各種演算や制御を行う。ＲＯＭ２８は、プログラム、火災報知の音声メッセージデータおよび表示データ、煙検知の基準値、所定期間の期間データ、テーブル化した自己および他の住宅用火災警報器２のＩＤ番号などを記憶している。また、ＲＡＭ２９は、点検判定部９から送信された判定情報データや演算処理データなどを記憶する。
【００６２】
また、制御部１１は、上述した制御を行う他に、第２の送受信部６が火災報知停止信号を受信すると、火災発生を報知する警報データおよび点滅データの制御信号の送信を所定期間に亘って停止または禁止するように形成されている。これにより、報知部７による点検情報が所定期間に亘って停止または禁止される。所定期間は、適宜設定すればよい。
【００６３】
そして、制御部１１には、電池３０が接続されている。制御部１１は、その制御により、火災検知部４ないし点検返答部１０などに対して動作電源を供給している。電池３０は、例えばリチウム電池である。
【００６４】
なお、点検信号部８、点検判定部９および点検返答部１０は、制御部１１と一体化に構成されていてもよい。すなわち、制御部１１が点検信号部８、点検判定部９および点検返答部１０の機能を有するように構成されてもよい。
【００６５】
そして、火災検知部４は、煙検知ユニット３１に、第１の送受信部５ないし制御部１１の主要部は、無線ユニット３２に構成されている。
【００６６】
住宅用火災警報器２は、図４および図５に示すように、火災警報器本体を構成するケース本体３３と、このケース本体３３内に設けられた煙検知ユニット３４とを有して構成されている。
【００６７】
ケース本体３３は、住宅用火災警報器２を平面視したときに、円形形状を有し、カバー３５と、このカバー３５が着脱自在に取付けられるベース部３６とを有して構成される。なお、ベース部３６は、天井等に取り付けられる取り付け面を有している。
【００６８】
カバー３５は、カバー表面３５ａより高さ方向に突出するカバー蓋部３７と、このカバー蓋部３７とカバー表面３５ａとの間に設けられた、煙を導入するための開口部３８とを有して構成されている。カバー蓋部３７は、住宅用火災警報器２を平面視したときに円形形状を有し、カバー３５の延設部３５ｂを介して、カバー３５と一体的に構成されている。
【００６９】
また、カバー３５上には、透光窓３９，４０および報知用開口溝４１が設けられている。透光窓３９，４０は、ケース本体３３内に配設された第２の送受信部６の受光素子１９および発光素子２０に対向して設けられ、赤外線を透過する合成樹脂板がカバー表面３５ａに設けられた２個の孔に嵌め込まれて形成されている。報知用開口溝４１は、ケース本体３３内に設けられたスピーカ２４などからの音声を効果的に外部へと伝えるための貫通孔である。
【００７０】
煙検知ユニット３４は、図６に示すように、例えば円筒状に構成されたもので、側面部３４ａの外周面全体が煙を導入する導入部分として構成されている。この側面部３４ａの外周面には、煙などの気体が通過可能で、かつ、虫などが侵入しないように図示しない防虫金網等が設けられている。
【００７１】
また、煙検知ユニット３４の内部には、火災検知部４が収容されている。そして、図示はしないが、発光素子１２と、受光素子１３とが同心円状で、かつ、この同心円の中心と発光素子１２および受光素子１３のそれぞれを結ぶ線分が所定の角度となるように配置されている。煙検知ユニット３４は、電源がオン状態である場合、発光素子１２から定期的に光が出射されている。そして、侵入した煙の検知量に応じて火災を検知する。
【００７２】
ケース本体３３は、図７に示すように、その内部にカバー３５に取り付けられる中底部材４２が設けられている。無線ユニット３２は、中底部材４２に固定されている。そして、無線ユニット３２からアンテナ１６が延出されている。
【００７３】
そして、中底部材４２には、電池収容部４３が設けられている。この電池収容部４３に、電池としてのリチウム電池３０が収容されている。
【００７４】
上述の住宅用火災警報器２は、図１に示すように、その複数個が互いに無線信号を送受信可能に配設されることにより、火災警報システムとしての住宅用火災警報システム１が構成されている。そして、１つの住宅用火災警報器２が火災発生を検知すると、各住宅用火災警報器２の報知部７から火災発生が報知される。
【００７５】
操作器３は、信号入出力部４４、表示部４５および操作部４６、これらを制御する制御部４７を有し、例えばテレビ用リモコンなどの周知のケース構成に形成されている。
【００７６】
信号入出力部４４は、赤外線信号により点検信号を送信する発光素子４８および住宅用火災警報器２の第２の送受信部６から送信された返答信号を赤外線信号で受信する受光素子４９を備えている。そして、受光素子４９で受信した返答信号を受信回路５０で増幅し、入出力部５１を介して制御部４７に送信する。
【００７７】
制御部４７は、返答信号の判定情報をＩＤ番号毎に表示部４５に表示させる。すなわち、表示部４５は、ケース５２の表面に設けられた例えば液晶画面を有してなり、この液晶画面に返答信号の判定情報をＩＤ番号毎に表示する。
【００７８】
操作部４６は、ケース５２の表面に設けられ、電源釦５３、モード切替釦５４、点検釦５５、停止釦５６およびテンキー釦５７を有して形成されている。電源釦５３が押圧されると、制御部４７は、電池５８から信号入出力部４４、表示部４５および操作部４６に電力の供給をさせて、信号入出力部４４、表示部４５および操作部４６を動作させる。そして、電源釦５３が再押圧されると、電池５８から信号入出力部４４ないし操作部４６への電力供給を遮断させる。なお、制御部４７は、内部電源または電池５８により、常時動作状態となっている。
【００７９】
モード切替釦５４は、押圧する毎に、点検釦５５および停止釦５６の一方を選択する。モード切替釦５４は、点検釦５５および停止釦５６の選択に応じて、例えば緑色光または赤色光を発光して選択内容を表示する。点検釦５５および停止釦５６は、それぞれ緑色および赤色に色分けされている。
【００８０】
モード切替釦５４が点検釦５５を選択しているときに点検釦５５が手動操作により押圧されると、制御部４７は、信号入出力部４４から点検信号を送信する。一方、モード切替釦５４が停止釦５６を選択しているときに停止釦５６が手動操作により押圧されると、制御部４７は、信号入出力部４４から火災報知停止信号を送信する。このように、点検釦５５または停止釦５６は、信号入出力部４４から点検信号または火災報知停止信号を送信させるように手動操作されるものである。
【００８１】
テンキー釦５７は、０〜９、♯、♭の各釦からなり、例えば点検信号や火災報知停止信号などにＩＤ番号を付与するときに使用される。
【００８２】
電池５８は、例えば乾電池からなり、ケース５２内に着脱可能に配設されている。
【００８３】
次に、本発明の実施例１の作用について述べる。
【００８４】
操作器３の操作部４６のモード切替釦５４および点検釦５５を手動操作し、図１に示すように、複数の住宅用火災警報器２のうちの一の住宅用火災警報器２Ａに対して操作器３から点検信号を送信する。点検信号は、当該一の住宅用火災警報器２Ａの第２の送受信部６で受信される。
【００８５】
点検信号を受信した住宅用火災警報器２Ａは、点検信号部８が点検用信号を第１の送受信部５から他の住宅用火災警報器２に送信し、点検判定部９が点検信号に応じて記憶部Ｍ１に記憶されている点検情報を読み出して自己の住宅用火災警報器２Ａにおける点検情報に対する異状の有無を判定する。第１の送受信部５は、他の住宅用火災警報器２から点検用信号に対する返答用信号を受信して点検返答部１０に送出する。
【００８６】
点検返答部１０は、点検判定部９が判定した判定情報と、第１の送受信部５から送出された返答用信号により他の住宅用火災警報器２における点検情報に対する異状の有無の判定情報とを入手する。そして、自己の住宅用火災警報器２Ａの判定情報および他の住宅用火災警報器２の判定情報をＩＤ番号とともに返答信号で第２の送受信部６から送信する。
【００８７】
返答信号は、操作器３の信号入出力部４４で受信される。そして、制御部４７の制御により、表示部４５に返答信号の判定情報がＩＤ番号毎に表示される。すなわち、表示部４５には、複数の住宅用火災警報器２毎に、点検情報に対する異状の有無が表示される。
【００８８】
上述したように、操作器３から複数の住宅用火災警報器２のうちのいずれか一の住宅用火災警報器２Ａに点検信号を送信すると、操作器３の表示部４５に複数の住宅用火災警報器２毎に点検情報に対する異状の有無が表示されるので、一の住宅用火災警報器２Ａの設置場所において、操作器３の表示部４５に表示された前記異状の有無に基づいて、複数の住宅用火災警報器２の動作試験を簡易にかつ迅速に行うことができて、省力化を図ることができる。
【００８９】
そして、各住宅用火災警報器２の火災検知部４は、煙を検知するものであるので、例えば煙草や魚焼きなどによる煙を火災として検知し、報知部７が火災発生を報知することがある。この場合、操作器３の操作部４６のモード切替釦５４および停止釦５６を手動操作し、操作器３から火災報知停止信号を送信すると、当該火災停止信号は、一の住宅用火災警報器２Ａの第２の送受信部６で受信される。
【００９０】
制御部１１は、火災報知停止信号に応じて、報知部７への火災発生を報知する警報データおよび点滅データの制御信号の送信を所定期間に亘って停止する。これにより、報知部７による点検情報が所定期間に亘って停止される。
【００９１】
また、非火災発生の煙により、報知部７が火災発生を報知することが予想される場合に、操作器３から火災報知停止信号を送信することにより、前もって、報知部７による火災発生の報知が所定期間に亘って禁止される。
【００９２】
そして、火災報知停止信号を受信した一の住宅用火災警報器２Ａは、当該火災報知停止信号を第１の送受信部５から無線信号により他の住宅用火災警報器２に送信する。これにより、他の住宅用火災警報器２においても、非火災発生に起因する火災発生の報知が所定期間に亘って停止または禁止される。
【００９３】
このように、操作器３から送信された火災報知停止信号に応じて、住宅用火災警報器２が所定期間に亘って火災発生の報知を停止または禁止するので、非火災発生の報知を防止することができる。
【実施例２】
【００９４】
図８ないし図１１は、本発明の実施例２を示し、図８は火災警報システムを示すブロック図、図９は火災警報器の要部構成を示すブロック図、図１０は操作器の要部構成を示すブロック図、図１１は火災警報器の概略斜視図である。なお、図１ないし図４と同一部分には、同一符号を付して説明は省略する。
【００９５】
図８に示す火災警報システムとしての住宅用火災警報システム６１は、各住宅用火災警報器６２同士と、住宅用火災警報器６２および操作器６３とが無線信号を送受信するように構成されている。
【００９６】
住宅用火災警報器６２は、図２に示す住宅用火災警報器２において、第１の送受信部５および第２の送受信部６が電波を送受信する一体の送受信部６４に形成されたものである。送受信部６４は、第１の送受信部５と同様に形成され、操作器６３から送信された点検信号または火災報知停止信号を電波で受信し、返答信号を電波で送信する。したがって、住宅用火災警報器６２は、図１１に示すように、カバー表面３９ａ上に、図４に示す透光窓３９，４０が形成されないものである。
【００９７】
そして、点検信号部７および点検判定部８は、図９に示すように、送受信部６４から点検信号を入力する。
【００９８】
住宅用火災警報器６２は、図１１に示すように、カバー表面３９ａ上に、図４に示す透光窓３９，４０が形成されないものである。
【００９９】
操作器６３は、図３に示す操作器３において、信号入出力部４４が電波を送受信する信号入出力部６５に形成されたものである。信号入出力部６５は、アンテナ６６、送受信回路６７および入出力部６８を有して形成されている。アンテナ６６は、電波により、点検信号または火災報知停止信号を送信するとともに、住宅用火災警報器６１から送信された返答信号を受信する。送受信回路６７は、制御部４７から送出された点検信号または火災停止信号を増幅してアンテナ６６から送信させるとともに、返答信号を増幅して制御部４７に送出する。入出力部６８は、制御部４７から送信された点検信号または火災停止信号を送受信回路６７に送出し、送受信回路６７から送信された点検信号を制御部４７に送出する。以下、図３に示す操作器３と同様に形成されている。
【０１００】
操作器６３は、電波により点検信号または火災報知停止信号を送信するので、点検信号または火災報知停止信号が複数の住宅用火災警報器６１に受信されることがある。この場合、一の住宅用火災警報器６２Ａに対して、点検信号または火災報知停止信号を受信させるために、点検信号または火災報知停止信号に一の住宅用火災警報器６２ＡのＩＤ番号を付与して送信させるとよい。
【０１０１】
住宅用火災警報器６２は、図２に示す第１および第２の送受信部５，６が一体の送受信部６４に形成されるので、構成部品が削減される。これにより、住宅用火災警報器６２を小形化することができ、安価に形成することができる。
【０１０２】
なお、実施例１および実施例２において、点検返答部１０は、記憶部Ｍ１に記憶されている点検情報を返答信号で送信してもよい。これにより、操作器３の表示部４５には、各住宅用火災警報器２の点検情報が表示される。そして、表示された点検情報に基づいて、各住宅用火災警報器２の動作確認を簡易にかつ迅速に行うことができるので、省力化を図ることができる。
【０１０３】
また、各住宅用火災警報器２の記憶部Ｍ１は、自己の住宅用火災警報器２の点検情報の他、連動動作する他の住宅用火災警報器２の点検情報を当該ＩＤ番号とともに記憶させてもよい。そして、制御部１１は、定期的にまたは住宅用火災警報器２の点検情報が更新されたときに、点検情報が付与された点検情報信号を送受信して点検情報を記憶部Ｍ１に記憶させるように構成されてもよい。これにより、複数の住宅用火災警報器２のうちのいずれか一の住宅用火災警報器２に操作器２から点検信号を送信することにより、操作器２の表示部４５に、各住宅用火災警報器２の点検情報を表示させることができ、この点検情報に基づいて各住宅用火災警報器２の動作確認を簡易にかつ迅速に行うことができる。
【産業上の利用可能性】
【０１０４】
本発明は、屋内で設置される複数の住宅用火災警報器を無線信号で連動動作する住宅用火災警報システムに利用することができる。
【符号の説明】
【０１０５】
１，６１…火災警報システムとしての住宅用火災警報システム、  ２，６２…火災警報器としての住宅用火災警報器、  ３，６３…操作器としての操作器、４…火災検知部、  ５…第１の送受信部、  ６…第２の送受信部、  ７…報知部、  ８…点検信号部、  ９…点検判定部、  １０…点検返答部、  ４４…信号入出力部、  ４５…表示部、  ４６…操作部、  ６４…送受信部、  Ｍ１…記憶部
【図１】
2011232995.tif 000003
【図２】
2011232995.tif 000004
【図３】
2011232995.tif 000005
【図４】
2011232995.tif 000006
【図５】
2011232995.tif 000007
【図６】
2011232995.tif 000008
【図７】
2011232995.tif 000009
【図８】
2011232995.tif 000010
【図９】
2011232995.tif 000011
【図１０】
2011232995.tif 000012
【図１１】
2011232995.tif 000013